(57)【要約】      （修正有）【課題】屋内及び屋外の双方に設置でき、昼間のみならず夜間においても集客効果を発揮でき、更に各店舗に応じた豊富で必要なデータを必要に応じて提供できると共にこのデータを見やすく提供するものであって、更にこのデータの更新等を簡単に行なえる電子広告装置を提供する。【解決手段】胴部１１が垂線に対して傾斜角をもち、胴部に連設する上部１２も傾斜角をもち、タッチモニター３が上部に配設され、胴部には広告パネル２を有し、このタッチモニターは配設したコンピューター制御によって階層毎のデータを表示し、電子広告装置とする。【選択図】図３
0003146567.tif 000002
【実用新案登録請求の範囲】
【請求項１】
胴部１１に広告パネル２を有すると共に、該胴部１１に連設する上部１２にタッチモニター３を有し、更に胴部１１に連設した挿入部１０にコンピューター４を有する電子広告装置であって、
胴部１１が垂線に対して約１０度程度以下の傾斜角をもって傾斜して構成し、
更に胴部１１に連設する上部１２が胴部１１に対して約５度から５０度程度の傾斜角をもって傾斜して構成するものであって、
胴部１１の傾斜と上部１２の傾斜の両者の傾斜角の合計傾斜角度が３０度乃至５０度程度をもって構成した傾斜角をもって形成し、
タッチモニター３が上部１２の上面に設けられていると共に挿入部１０のコンピューター４によって制御されるものであり、
タッチモニター３に表示されるデータが、タッチモニターに触れることによって階層毎のデータを表示することができることを特徴とする電子広告装置。
【請求項２】
胴部１１に広告パネル２を有すると共に、該胴部１１に連設する上部１２にタッチモニター３を有し、更に胴部１１に連設した挿入部１０にコンピューター４を有する電子広告装置であって、
胴部１１が垂線に対して約５度程度の傾斜角をもって傾斜して構成し、
更に胴部１１に連設する上部１２が胴部１１に対して約３５度程度の傾斜角をもって傾斜して構成するものであって、
タッチモニター３が上部１２の上面に設けられていると共に挿入部１０のコンピューター４によって制御されるものであり、
タッチモニター３に表示されるデータが、タッチモニター３に触れることによって階層毎のデータを表示することができることを特徴とする電子広告装置。
【請求項３】
胴部１１を略長方形の平板状に形成し、その表面に広告パネル２を有するものであることを特徴とする請求子１又は２のいずれかに記載の電子広告装置。
【請求項４】
上部１２を平板状に形成したことを特徴とする請求項１乃至３のいずれかに記載の電子広告装置。
【請求項５】
胴部１１の広告パネル２に面発光パネル２０を用いたことを特徴とする請求項１乃至４のいずれかに記載の電子広告装置。
【請求項６】
胴部１１の広告パネル２に前記コンピューターによって制御されるモニターを用いたことを特徴とする請求項１乃至４のいずれかに記載の電子広告装置。
【請求項７】
前記コンピューター４は、無線ＬＡＮ・有線ＬＡＮ・通信ポートなどの受信装置を有し、モニターに表示するデータを任意に修正可能であることを特徴とする請求項１乃至６のいずれかに記載の電子広告装置。
【請求項８】
防水性を有する筐体をもって構成したことを特徴とする請求項１乃至７のいずれかに記載の電子広告装置。
【考案の詳細な説明】
【技術分野】
【０００１】
本考案は、店頭において必要事項を表示できる電子広告装置に関する。
【背景技術】
【０００２】
従来より、各店舗における店頭において設置する広告装置に関しては各種のものが用いられている。
例えばイーゼルに黒板状の板を設置し、該板に各種表示をするものが多用されているものである。
更に、看板を用いるものもある。
【０００３】
この場合、夜間における視認性を高めるために看板内部に光源を有して看板を明るく照らすもの或いは看板の表示内容を明るく照らし出すものなども多用されている。
更に実登第３１３５２１３号（特許文献１）に示すようにポスターを表示するものもある。
或いは、現在は訴求力を高めるために店頭設置用メニュー・パンフレット掲示型イーゼル型店頭表示装置からなる特開２００６-１０６２９９号（特許文献２）も存在する。
【特許文献１】実登第３１３５２１３号
【特許文献２】特開２００６-１０６２９９号
【考案の開示】
【考案が解決しようとする課題】
【０００４】
以上の様に、店舗等における広告媒体として用いられるものであり、特に集客能力を高めるために各種看板は多用されているものである。
この場合特に夜間等を考慮して、光源を有して目に付きやすく構成するものもあるが、これは外部から看板の存在を視認しやすくするために多用されるものである。
しかし、これらは単に集客目的に用いられ、店舗情報の提供は極めて限られたものしか提供できないものである。
【０００５】
従って、集客と共に更にはより具体的な各種情報の提供を可能とする広告装置の提供が望まれるものである。
このため、より異なる情報の提供を店頭看板において行なうために特許文献２のような構成も考えられるが、そもそも単にノートパソコンを展示するものであって、店舗の広告と共にメニューなどを表示することは可能であるが、提供できる内容は画一的なものとなるものである。
【０００６】
又、破損や盗難など各種の問題点をどうしても内在するものである。
併せて、特にノートパソコンや液晶を単にイーゼル上の傾斜台の上に設置した構成であって、集客効果は高くなく、例えば夜等においては目立たないものでしかない。
これは、単に例えば屋内等において、店の入り口でメニュー等を表示するものであり、ノートパソコン等自体をいかにイーゼル上に載置できるかを示す一例でしかないことから、外部即ち室外において設置する場合には広告としての価値はそれほど高くなく、更に雨等に対処するためには防水カバー等を必要とし、又静止画像や動画を繰り返し表示するものでしかない。
【０００７】
従って、屋内のみならず屋外にも設置でき、集客用の看板として効果的に用いることができ、更には夜間においても集客効果を発揮できる看板であり、又単なる静止画や動画を繰り返すのではなく、必要なデータを必要に応じて提供できると共に豊富なデータを提供でき、更にはデータの更新など簡単に行なえる電子広告装置が望まれるものである。
【課題を解決するための手段】
【０００８】
以上のように係る本考案は前記課題を見事に解決する電子広告装置の提供を課題とするものである。
係るため請求項１に係る考案は、胴部に広告パネルを有すると共に、該胴部に連設する上部にタッチモニターを有し、更に胴部に連設した挿入部にコンピューターを有する電子広告装置であって、胴部が垂線に対して約１０度程度以下の傾斜角をもって傾斜して構成し、更に胴部に連設する上部が胴部に対して約５度から５０度程度の傾斜角をもって傾斜して構成するものであって、胴部の傾斜と上部の傾斜の両者の傾斜角の合計傾斜角度が３０度乃至５０度程度をもって構成した傾斜角をもって形成し、上部のタッチモニターが上部の上面に設けられていると共に挿入部のコンピューターによって制御されるものであり、タッチモニターに表示されるデータが、タッチモニターに触れることによって階層毎のデータを表示することができる電子広告装置であって、係る考案によって解決できる。
【０００９】
或いは、請求項２に係る考案のように、胴部に広告パネルを有すると共に、該胴部に連設する上部にタッチモニターを有し、更に胴部に連設した挿入部にコンピューターを有する電子広告装置であって、胴部が垂線に対して約５度程度の傾斜角をもって傾斜して構成し、更に胴部に連設する上部が胴部に対して約３５度程度の傾斜角をもって傾斜して構成するものであって、上部のタッチモニターが上部の上面に設けられていると共に挿入部のコンピューターによって制御されるものであり、タッチモニターに表示されるデータが、タッチモニターに触れることによって階層毎のデータを表示することができる電子広告装置であってもよい。
【００１０】
これらの場合、請求項３に係る考案のように胴部を略長方形の平板状に形成し、その表面に広告パネルを有する電子広告装置でも、請求項４に係る考案のように上部を平板状に形成した電子広告装置でもよい。
更に、請求項５に係る考案のように胴部の広告パネルに面発光パネルを用いた電子広告装置を用いても、或いは請求項６に係る考案のように、胴部の広告パネルに前記コンピューターによって制御されるモニターを用いた電子広告装置でもよい。
【００１１】
更にこれらの場合、請求項７に係る考案のように前記コンピューターは、無線ＬＡＮ・有線ＬＡＮ・通信ポートなどの受信装置を有し、モニターに表示するデータを任意に修正可能である電子広告装置をもちいてもよい。
又、請求項８に係る考案のように防水性を有する筐体をもって構成した電子広告装置でもよい。
【考案の効果】
【００１２】
以上のように構成したことから、屋内のみならず屋外にも設置でき、集客用の看板として効果的に用いることができ、更には夜間においても集客効果を発揮できる看板であり、又単なる静止画や動画を繰り返すのではなく、必要なデータを必要に応じて提供できると共に豊富なデータを提供でき、更にはデータの更新など簡単に行なえる電子広告装置を提供できるものである。
【００１３】
特に請求項１による考案によって、胴部に広告パネルと上部のタッチモニターによって広告と情報提供を可能とするものであり、胴部と上部が夫々適宜傾斜角をもって構成されることから情報の視認性を高く有することができ、広告効果を高くすることができると共に上部のタッチモニターによって、階層毎のデータを表示することができるものであり、豊富なデータを簡単に選択して得ることができるものである。
【００１４】
更に請求項２に係る考案によれば、胴部を垂線に対して約５度程度の傾斜角をもって傾斜して構成し、胴部に連設する上部を胴部に対して約３５度程度の傾斜角をもって傾斜して構成するものであり、胴部の視認性を高めることと共にタッチモニターの視認性及びタッチのしやすさなどを図れるものである。
又、請求項３及び４に係る考案によって夫々広告パネルやタッチモニターを見栄えよく配設できるものとなる。
【００１５】
更に、請求項５に係る考案によって面発光パネルの広告的効果を発揮できるものであり、広告としての視認性の高さ或いは夜間などでの広告効果を高めることができる。
又、請求項６に係る考案によって胴部での広告的価値を高められる。
又、請求項７に係る考案によって、データの任意又は逐次の修正や更新ができ、常に持っても適したデータをもとに情報の提示が可能となる。
更に一括管理等を行なうこともできるものとなる。
【００１６】
次に請求項８に係る考案によって防水性を有するものであり、更にこの防水性のみならず埃の付着等をも低減でき、さらには傷等もつきにくくすることができるものであり、屋外の諸条件での使用に対処可能となる。
【考案を実施するための最良の形態】
【００１７】
図１は、本考案に係る電子広告装置の一例を示す図であり、本体１はその上部１２に高輝度のタッチモニター３を有し、更に正面方向にはその本体１胴部１１には長方形状の広告パネル２を有するものであって、面発光パネル２０の上にインクジェットシート２１を貼り付けた広告板を有する。
この本体底部には更にキャスター１３を有し、該電子広告装置を移動可能とするものである。
【００１８】
更に本体の胴部奥方向にはコンピュータシステム４を搭載すると共に無線ＬＡＮを有する。
この場合搭載するコンピュータシステム４によってタッチモニター３が制御され、必要な情報をモニターに映し出すものである。
この場合、このタッチモニター３を含め、本電子広告装置は防水加工されているものであり、水のみならず油や埃の付着を極力配することができるものであって、屋外での使用を可能とするものである。
【００１９】
図２は、図１の電子広告装置を側面から視認した図を示す。
先ず本体胴部奥方向にはコンピュータシステム４を搭載するための挿入部１０を有し、この部分に本電子広告装置を制御するコンピューター４が搭載されている。
このコンピューター４には無線ＬＡＮが搭載されており、必要データの送信や機器の作動の制御を行なえる。
特に各種広告や店舗情報等をタッチモニター３に映し出すが、この映し出し情報の制御と共に必要なデータの修正や書換・更新等を無線によって行なえるものである。
【００２０】
尚、無線を前提に明示するが、これは有線であっても或いは他の記憶媒体例えばＣＤやＤＶＤ或いは各種情報記憶カード類等を用いて行なうものであってもよい。
更に本体１胴部１１には面発光パネル２０により発光する構成の一例を示すが、この起立状態の胴部１１は挿入部１０に対して垂直形状ではなくやや傾斜した傾斜面によって構成される。
即ち本図に示す構成は水平面に対して約９５度程度の傾斜角をもって構成した一例を示す。
【００２１】
これは垂直方向より５度程度更に傾斜角度を増してやや上方方向に該胴部の広告パネル部２が向くように構成されているものである。
このように傾斜することによって、より視認性を高められ、例えば面発光パネル等による広告パネル２の視認性の効率を更に高めることができる。
特に人間の起立状態における位置関係は該人間の視線が下方向に向く場合にはその看板はやや傾斜したほうが見やすいものであり、視認性の向上が図れる。
【００２２】
この場合胴部１１は、起立状態で垂線方向に対して約５度程度更に傾斜角を有した一例を示すが、これに限らず垂線方向に起立するものであっても或いはこの垂線方向から約１０度程度までの各種角度をもって傾斜されて構成したものであってもよい。
即ち５度程度が最適であるが、垂直に起立した状態から、更に傾斜して１０度程度以下の任意の角度を有する胴部によって構成するものであってもよい。
【００２３】
尚、本図において面発光パネル２０の上にインクジェットシート２１を貼り付けた広告パネルを一例として明示するが、例えば単なる光透過性のパネルを用い、該パネルに広告を表示し、更に内部に発光体を有することによって、該広告を映し出すものであってもよい。
更に、例えば高輝度ＬＥＤを用いたものでも或いは通常の各種光源をもって構成するものでもよい。
高輝度ＬＥＤを用いることにより超寿命・低発熱・低消費電力等とすることもできる。
【００２４】
更に、このパネル部分２にはパネルモニターを有し、コンピューターによって動画や静止画を映し出すものとしてもよい。
尚、本体１胴部１１側面には取手１４を有している。
次に本体１の胴部１１に連設する上部１２には更にタッチモニター３を有している。
この上部１２は、該胴部１１から更に３５度の傾斜角をもって傾斜しており、該上部１２の上面部分にはタッチモニター３が配設しているものである。
該タッチモニター３は任意の大きさのモニターであり、例えば１５インチ乃至３２インチ程度のモニターであれば最もよく、この大きさに限定されることなく任意の大きさのモニターであればよい。
【００２５】
少なくともモニター画面を視認できると共にタッチモニターとして用いることができればよい。
又、該傾斜角度は一例であり、本体胴部に対して約５度から５０度程度の傾斜角をもって構成するものであってもよい。
特に胴部の傾斜を考慮し両者の傾斜角の合計傾斜角度を４０度程度とすることが最適であり、３０度乃至５０度程度をもって構成しても、極めて使い勝手が良く又視認性にすぐれた構成を提供できる。
更に、該モニター部分３は防水性を有するものであることによって屋外での使用を確保できる。
【００２６】
又このように防水性を有することによって防水のみならず傷を防ぐことができると共に埃等の付着を低減等できるものとなる。
尚、防水性はモニター部３に限るものではなく全体を防水型のボディによって構成されることが最適である。
また、本体筐体に関しては例えば耐熱塗装を有するものであれば、電気機器を含む全体を保護できるものである。
少なくとも筐体に防水性を有することによって電気機器として防水性や防埃性等を保てるものであり、屋外での使用に際して安全に使用できるものとなる。
【００２７】
更にモニター面やパネル面において耐衝撃性や耐摩擦性を高めるために耐衝撃性や耐摩擦性を有するポリエチレン等をもって形成するものでもよい。
これ等の場合、このタッチモニターには、各種情報を表示できるものであり、店舗情報やお勧めメニュー・或いは食事メニュー・ドリンクメニューなどを表示できるものであり、これらはタッチモニターへのタッチにより信号を送ることで夫々更なるより詳細なデータ類などを必要に応じて表示できるものである。
又、例えばクーポン券やＱＲコードなどを映し出すことができるものとしてもよい。
【００２８】
従って、例えば常時店舗情報を動画で表示しつつ、メニューの表示等を併せて表示し、通りがかった人が必要に応じて各種部分をタッチするとそれに応じた画面に変わり、更に必要部分に触れると更なる詳細データが表示などされるものである。
これによって、極めて広告性を高く有するばかりでなく、豊富なデータを的確にかつわかりやすく提供できるものとなる。
この場合、無線ＬＡＮや有線ＬＡＮ或いは通信ポートなど各種通信機能を有し、受信装置を有するものであることによって、必要なデータの更新や書換・修正等を可能とできるものである。
【００２９】
即ち、季節ごとのメニューの切り替えやお勧めメニューなどを必要に応じて適宜修正することができるものである。
特に一括管理もできるばかりでなく、簡単かつアップツーデートに行なえるものである。
尚、このモニターは例えば超高輝度のものであってもよく、更には人感センサーを有し、該モニターは人が近づいたことを感知して電源を入れるものでも、或いは動画広告から店舗情報やメニュー情報に切り替わるものなどをもって構成したものでもよい。
【００３０】
図３は、本考案に係る電子広告装置の設置状態の一例を示す図である。
本体１胴部１１奥方向の挿入部１０にはコンピュータシステムを搭載しているものである。
更に挿入部１０に連設する本体胴部１１は略長方形状の平板状に形成しているものであり、該胴部１１の正面部分には面発光パネルからなる広告パネル２を有しているものであって、ここには店舗情報等の店舗に関する情報が発光状態で映し出されているものである。
例えば表面に耐衝撃性や耐摩擦性を有するポリエチレンパネルを有するものであってもよい。
【００３１】
もとよりこの部分においても、モニターを有し動画や静止画を映し出すものであってもよい。
又この胴部は約９５度程度の傾斜角をもって起立しており、パネル面をやや上向きに向けた状態で構成されている。
例えばこの本体１の胴部１１は、例えば９０センチ乃至１００センチ程度の高さからなる略長方形状の平板状よりなる一例として本図に示す。
もとよりこの大きさや形状は任意であり、この胴部１１に連設する上部１２の高さ位置が一般的な人間にとって視認性しやすく、かつ画面にタッチ可能な高さになるものであればよい。
【００３２】
更にこの胴部１１には上部１２が連設しており、該上部１２はこの胴部の傾斜角度に対して更に３５度程度の傾斜角をもって形成した傾斜角からなる平板状の上部１２よりなるものである。
係る上部１２の正面にはタッチモニター３が配設されている。
該モニター３には、本図では九分割した各種情報欄が表示されている。
例えば、夫々が本日のお勧めメニューやグランドメニュー・ドリンクメニュー・デザートメニュー・店舗情報メニュー・店内情報メニュー・クーポン券情報・特殊情報欄などの任意の選択肢を表示するものであり、必要に応じてより詳細に見たい部分をタッチすると更にその情報を表示する画面に移るものである。
【００３３】
この情報においても例えばメニューとして各種料理内容が本画面上のように九品目写真入で明示されているものなどであってもよい。
もとより、本図に示す構成は一例であり、夫々任意に各種画面や表示を構成するものであってよい。
尚、本電子広告装置には図示しないが、音を出すためのスピーカー類を有するものであり、各種効果音や音声での応答などが行なわれるものであってももちろんよい。
【００３４】
図４は、タッチモニターに表示される表示内容の階層ごとの一例を示す図である。
例えば当初は宣伝動画などが表示されており、人感センサー等によってタッチモニターに近づいた段階で選択画面である次階層の五分割画面に移るものであってもよい。
例えば当初画面から該画面のいずれかにタッチすると御分割画面に移るものであっても、もちろんよい。
例えばこの五分割画面はフード・ドリンク・インテリア・お勧めクーポンと真ん中のＣＭの画面からなり、このうちの任意の部位例えばフードにタッチすると次の階層に進む。
【００３５】
この階層においても本図は五分割画面を一例として示しているものであり、例えば鮮魚酒肴・串焼き炙り・焼き物・豆腐煮物揚げ物・食事甘味などに区分けされているものであってもよい。
更にこのうちの一つを選択してモニターをタッチするとその具体的なメニューと値段などが表示される。
更に具体的なメニューを選択してモニターをタッチするとその具体的なメニューの画像が表示されるものである。
したがってきわめて大量なデータを簡単に表示できるものであり、店舗の広告として効果的かつ視覚性に効率よく訴えることができるものであり、店舗として他の店舗より一歩も二歩も進んだ情報提供ができることとなり、差別化を効果的に図れるものである。
【図面の簡単な説明】
【００３６】
【図１】本考案に係る電子広告装置の一例を示す図
【図２】本考案に係る電子広告装置の一例を示す図
【図３】本考案に係る電子広告装置の一例を示す図
【図４】本考案に係る電子広告装置のタッチモニターに表示する各階層の表示内容の一例を示す図
【符号の説明】
【００３７】
１    本体
１０    挿入部
１１    胴部
１２    上部
１３    キャスター
１４    取手
２    広告パネル
２０    面発光パネル
３    タッチモニター
４    コンピューター
【図１】
0003146567.tif 000003
【図２】
0003146567.tif 000004
【図３】
0003146567.tif 000005
【図４】
0003146567.tif 000006